(57)【要約】【課題】  本発明は、従来の装置の欠点であったワイヤロープのテンションを問題とすることなく、また、ネット又はシートの荷重を問題とすることなくワイヤーロープをスムーズに移動することができるウインチを用いた移動システム、ネット又はシートのウインチを用いた移動システムを提供することを解決する。【解決手段】  吊張されたワイヤーロープをウインチで移動することで各種作業を行うウインチを用いた移動システムにおいて、該ワイヤロープに発生する弛みをウインチで解消しながらワイヤーロープを移動することであり、また、吊張されたワイヤーロープに沿ってワイヤロープに発生する弛みをウインチで解消しながらウインチをワイヤーロープに沿って移動することである。【選択図】図１
2007161476.tif 000002
【特許請求の範囲】
【請求項１】
吊張されたワイヤーロープをウインチで移動することで各種作業を行うウインチを用いた移動システムにおいて、該ワイヤロープに発生する弛みをウインチで解消しながらワイヤーロープを移動することを特徴とするウインチを用いた移動システム。
【請求項２】
吊張されたワイヤーロープに沿ってワイヤロープに発生する弛みをウインチで解消しながらウインチをワイヤーロープに沿って移動するウインチを用いた移動システム。
【請求項３】
風、紫外線をカットするためのネット又はシート、又は空間部を覆設するためのネット又はシートの吊張用として設けられているワイヤーロープにかかるネット又はシートの荷重による弛みをウインチで解消しながらワイヤーロープを無端状に移動することで、ネット又はシートを開閉移動することを特徴とするネット又はシートのウインチを用いた移動システム。
【請求項４】
前記ネット又はシートが複数に分割され、該分割されたネット又はシートを分割方向に沿ってそれぞれ吊張されたワイヤーロープを無端状に移動することで、分割された各ネット又はシートの同方向に又は対向する方向に開閉移動することを特徴とするネット又はシートのウインチを用いた移動システム。
【発明の詳細な説明】
【技術分野】
【０００１】  本発明は、壁面間、天井部分等に吊張されたワイヤーロープを移動するためのウインチ、吊張されたワイヤーロープに沿ってウインチを移動することで、各種の作業現場を行うのに使用したり、工事現場、野外のプールを覆設されるＵＶカットネット又はシート部材、擁壁工事等の工事現場の雨避け用として覆設されるシート部材、仮設用屋根のシート部材を移動するために使用するウインチを用いた移動システム、ネット又はシートのウインチを用いた移動システムに関する。
【背景技術】
【０００２】  ウインチを用いた移動システムの一例として建設物の壁面点検作業がある。この壁面点検作業としては、上下方向に吊張されたワイヤーロープをウインチで移動しながら作業者を直接／間接的に昇降移動するシステムがあり、また他の例としては、ホテル等の非難用としては高い場所の壁面より屋外に固定されたウインチに設けられたワイヤーロープを利用して降下移動するシステムがある。【０００３】  また、ネット又はシートのウインチを用いた移動システムとしては、工事現場での強い日差しを避け、雨を避けるために作業場の所望のスペースにネット又はシートを用いて仮設屋根を設け、該ネット又はシートをウインチを用いて開閉するシステムがあり、また、他の装置として、設置スペースに立設した支柱間に架設されて並行して延長する複数の支持索と、隣接する支持索間に張設された膜屋根とから構成され、ウインチにより横行索と開閉索とを移動して膜屋根をスライド開閉するシステムがある。【０００４】  上記建設物の壁面点検用としては、壁面より横方向に突出して設けられたアームと該アームに取り付けられたワイヤーロープ巻き取り用のウインチと、該ウインチのワイヤーロープに固定された荷台と、アームと地上部と間に設けられた補助ワイヤーロープとから構成され、ウインチよりのワイヤーロープの引き出し又は巻き取りにより作業者の乗った荷台を昇降して壁面の点検作業を行う。この際、安全性の面で補助ワイヤーロープ及びウインチよりのワイヤーロープは常にテンションがかかった（緊張）状態とし、補助のブレーキを用いて安全性を確保している。また、非難用としては、高い場所の壁面より屋外に設けられた支柱と、該支柱に固定されたウインチと、該ウインチに設けられたワイヤーロープとから構成され、安全ベルトを取り付けた人をワイヤーロープの先端に連結し、ウインチを作動してワイヤーロープを下降されて降下非難するシステムがある。【０００５】  上記仮設屋根は、設置場所に平行に設けられた２つのガイドと、ガイドに対して直角方向を向き、相互に平行となってガイドに移動可能に装着された複数の梁部材と、梁部材間に取り付けられたシート部材と、ガイドに相対する一端部側に取り付けられる一端側滑車と、ガイドに相対する他端部側に取り付けられる他端側滑車と、一端側滑車と他端側滑車とにループ状に設けられたワイヤロープと、ワイヤロープを移動する手動ウインチとから構成され、手動ウインチで滑車に張設されたワイヤロープを正逆に送り移動することで、平行に設けられたガイドに沿って複数の梁部材を移動して該梁部材に設けられたシート部材の開閉を行う。
また、他の装置は、ウインチにより横行索と開閉索とを移動して膜屋根をスライド開閉している。  支柱により支持される荷重は、支持索や膜屋根などによる軽量のものに留めて対応している。
【発明の開示】
【発明が解決しようとする課題】
【０００６】  しかしながら、上記壁面点検用等で使用するウインチはワイヤーロープ巻き取り用のウインチが使用されているためにワイヤーロープに常にテンションがかかった状態で使用しなければならず、巻き取られたワイヤーロープに少しでも弛みがあれば荷台が急降下したりするために、常にワイヤーロープのテンションを確認する作業が必要であり、また別体のブレーキ機構をウインチ内に又は別体として取り付ける必要であった。【０００７】  また、ワイヤーロープの巻き取り装置が別体として設けられたエンドレス（無端状）のウインチを使用する場合も同様に、ウインチよりのワイヤーロープの引き出し側及びワイヤーロープの取り込み側ともにテンションがかかった状態でなければスムーズなワイヤーロープの移動ができないという欠点があった。【０００８】  また、仮設屋根の梁部材に取り付けられたシート部材は、滑車を支柱に固定して取り付けているだけであり、設置スペースが広い場合にはループ状に設けられたワイヤロープにかかるシート部材の荷重により、ウインチでのワイヤロープの移動時にワイヤロープの一方側に弛みが生じ、スムーズなワイヤロープ移動ができずシート部材の開閉移動ができない場合がある。【０００９】  また、隣接する支持索間に張設された膜屋根の場合は、膜屋根が複数に分割され、支持索や膜屋根なとの材料の軽量を図っているもの、斜面に対して膜屋根が設けられているために膜屋根の開閉時には、横行索と開閉索とに弛みが生じ、上記と同様にスムーズな支持索の移動ができず膜屋根の開閉移動ができない場合があり、頻繁なメンテナンスを必要とする。【００１０】  上記ワイヤロープ（支持索）の弛みの防止用として、各滑車をテンション機構を用いて取り付け、ワイヤを常時緊張状態で設けることが一般的に用いられているが、この場合その構造が複雑となり、装置全体がコスト高となる問題点があった。【００１１】  本発明は、従来の上記装置の欠点であったワイヤロープのテンションを問題とすることなく、また、ネット又はシートの荷重を問題とすることなくワイヤーロープをスムーズに移動することができるウインチを用いた稼働システム、ネット又はシートのウインチを用いた稼働システムを提供することで上記課題を解決する。
【問題を解決するための手段】
【００１２】  本発明は、吊張されたワイヤーロープをウインチで移動することで各種作業を行うウインチを用いた移動システムにおいて、該ワイヤロープに発生する弛みをウインチで解消しながらワイヤーロープを移動することを特徴とするウインチを用いた移動システムである。
【００１３】  また、吊張されたワイヤーロープに沿ってワイヤロープに発生する弛みをウインチで解消しながらウインチをワイヤーロープに沿って移動するウインチを用いた移動システムである。
【００１４】  また、風、紫外線をカットするためのネット又はシート、又は空間部を覆設するためのネット又はシートの吊張用として設けられているワイヤーロープにかかるネット又はシートの荷重による弛みをウインチで解消しながらワイヤーロープを無端状に移動することで、ネット又はシートを開閉移動することを特徴とするネット又はシートのウインチを用いた移動システムである。
【００１５】  また、ネット又はシートが複数に分割され、該分割されたネット又はシートを分割方向に沿ってそれぞれ吊張されたワイヤーロープを無端状に移動することで、分割された各ネット又はシートの同方向に又は対向する方向に開閉移動することを特徴とするネット又はシートのウインチを用いた移動システムである。
【発明の作用】
【００１６】  本発明のウインチを用いた移動システムは、地面に対して垂直方向、又は水平方向に無端状に吊張されたワイヤーロープを固定されたウインチを用いて移動する。ワイヤーロープ移動時に、該ワイヤーロープに十分な荷重がかかっていない場合にワイヤーロープに弛みが発生するが、ウインチでワイヤロープの弛みを解消しながらワイヤーロープを移動する。
【００１７】  また、地面に対して垂直方向、又は水平方向に吊張されたワイヤーロープに沿ってウインチを移動する場合に、吊張されたワイヤロープに弛みが生じても、ウインチでワイヤロープの弛みを解消しながらウインチを移動することで各種の作業を行う。
【００１８】  また、ネット又はシートを開閉する場合は、設置場所の外周に支柱を立設し、該支柱間にワイヤーロープをウインチを介して無端状に吊張する。このワイヤーロープを無端状に吊張する方法は、支柱間毎にワイヤーロープを吊張することで複数本のワイヤーロープを吊張することも可能であり、また１本のワイヤーロープで掛け渡すことでも可能である。
【００１９】  次に、ネット又はシートを前記対向するワイヤーロープに直接又は間接的に連結し、１つの支柱に固定したウインチを作動してワイヤーロープを移動することで、ワイヤーロープに沿って直接又は間接的にネット又はシートを自在に開閉移動することができる。
【００２０】  上記ネット又はシートの荷重は無端状に吊張されたワイヤーロープに直接又は間接的にかかるために、ネット又はシートの開閉移動時において、ウインチを駆動してワイヤーロープを移動すると、ウインチへのワイヤーロープの取り入れ側と取り出し側（ウインチの駆動部に対して）とでワイヤーロープにかかる荷重が相違するために、特にワイヤーロープのウインチへの取り出し側に弛みが発生することがおこりやすい。本発明はこの弛みをウインチ部分で解消しながらワイヤーロープを無端状に移動することができるので、常にスムーズなネット又はシートの開閉移動を行うことができる。
【００２１】  上記ウインチでのワイヤーロープの弛みの解消は、ウインチ内においてワイヤーロープが常にテンションがかかった状態で移動することとなるために、ワイヤーロープのウインチへの取り出し側又は取り入れ側の弛みがあっても問題とすることなくウインチ内で弛みを解消して、スムーズなワイヤーロープの移動を行うことができる。
【発明の効果】
【００２２】  本発明は、ワイヤーロープの弛みをウインチで解消しながらワイヤーロープを移動することができるので、ワイヤーロープの弛みによるトラブルの発生がなく、安全性の面において特に効果があり、各種の作業に対応することができる。
【００２３】  また、ワイヤーロープにネット又はシートの荷重がかかり、ウインチへのワイヤーロープ取り出し側又は取り入れ側に弛みが発生しても、ワイヤーロープを移動することができるので、ワイヤーロープの弛みによるトラブルの発生がなく、メンテナンスの必要性を最小限に押さえ、維持コストを軽減することができることとなる。
【００２４】  また、スムーズなネット又はシートの開閉移動により、例えば、突風等の風の強い日において、ネット又はシートをすばやく開放することで、風の影響を排除することができ、風によるトラブルを最小限に押さえることができる。
【００２５】  さらに、ワイヤーロープにかかるネット又はシートの荷重をウインチで解消できるので、従来必要であったワイヤーロープ及びネット又はシートの吊張設備である複数のテンション手段が必要でなく、大きなスペースに設置されたほど特に設置コストの大幅な削減を可能とした。
【発明を実施するための最良の形態】
【００２６】  本発明のウインチを用いた移動システム、ネット又はシートのウインチを用いた移動システムについて、図面に沿って説明する。【００２７】  図１は、本発明のウインチを用いた移動システムの一実施例を示す概略説明図であり、図２は本発明に使用するウインチを示す概略説明図であり、図３はウインチによるワイヤーロープの取り入れ及び取り出し移動を示す概略説明図であり、図４はウインチによるワイヤーロープの駆動移動を示す概略説明図であり、図５はウインチを用いた移動システムの使用例を示す概略説明図であり、図６、図７、図８はウインチを用いた移動システムの他使用例を示す概略説明図であり、図９はネット又はシートのウインチを用いた移動システムを示す概略説明図であり、図１０、図１１はネット又はシートのウインチを用いた移動システムの他実施例を示す概略説明図であり、図１２、図１３、図１４はネット又はシートのウインチを用いた移動システムの他実施例を示す概略説明図であり、図１５は、ネット又はシートの開閉装置の他実施例を示す概略説明図である。【００２８】  本発明のウインチを用いた移動システム１は、一端側を天井等の上方部に連結具２を介して固定し、他端側を下方に垂らしたワイヤーロープ３と、該ワイヤーロープ３に設けられたウインチ４と、該ウインチ４の下端に設けられた鍵状フック５とから構成され、ウインチ４が作動することで該ウインチ４をワイヤーロープ３に沿って昇降移動すべく構成されている。【００２９】  前記ウインチ４の基本的な構成は、駆動源（手動、又は自動）により回転駆動する巻取リング６にワイヤーロープ３を巻き付けて、ワイヤーロープ３を無端状に移動すべく構成されている。前記巻取リング６へのワイヤーロープ３の取り入れ及び取り出しに関しては、３個の回転自在な案内リング７と、該案内リング７に近接して設けられ、ワイヤーロープ３の取り入れ及び取り出しの道筋の役割（各道が例えば溝状、又は筒状に形成され、しかもワイヤーロープ３の径と略同一の径）をする案内ガイド８とで行われ、ワイヤーロープ３を案内ガイド８に沿って取り入れ、該案内ガイド８と案内リング７とでワイヤーロープ３を挟持し押圧しながら巻取リング６へワイヤーロープ３を移動し、巻取リング６の駆動でワイヤーロープ３を巻取リング６の外周に巻き付けて、該ワイヤーロープ３を再度、案内ガイド８に沿って取り出し、案内ガイド８と案内リング７とでワイヤーロープ３を挟持し押圧しながらワイヤーロープ３をウインチ４より取り出す。【００３０】  ワイヤーロープ３を巻取リング６の外周に巻き付ける際、両端側にテンションが設けられ、巻取リング６の外周に沿って設けられた押圧体９で、ワイヤーロープ３を巻取リング６の外周側に押圧しているために、巻取リング６の回転駆動時にワイヤーロープ３が空回りすることなく、確実にワイヤーロープ３を移動することができる。【００３１】  即ち、上記案内ガイド８と案内リング７とでのワイヤーロープ３の挟持、押圧及び押圧体９によるワイヤーロープ３を巻取リング６の外周側への押圧というワイヤーロープ３の弛み解除手段により、ワイヤーロープ３の取り入れ側に弛みが発生しても、ワイヤーロープ３の弛みに関係することなく、ウインチ４により無端状にワイヤーロープ３を移動することができる。【００３２】  本発明のウインチを用いた移動システム１は上記のように構成され、次に該移動システム１を使用する場合の一例について説明する。【００３３】  大空間部を有するスポーツ用等の屋内施設の天井部の設けられた照明器具を昇降する場合は、先ず天井部に所定間隔をあけて４個の連結具２を取り付け、該連結具２にワイヤーロープ３の他端側をそれぞれ固定したウインチ４を取り付ける。そして、該ワイヤーロープ３それぞれにウインチ４を設け、該ウインチ４のフック５に、照明器具の設けられた矩形の枠体２０の四隅を連結し、ウインチ４を作動することで、枠体を昇降移動する。ウインチの作動は例えば制御盤（図示せず）と無線式の遠隔操作盤（図示せず）を用いて行う。この際、従来のウインチで上記と同様の構成を設けた場合、各ウインチに設けられるワイヤーロープ３に十分なテンションをかけた状態で、初期設定しなければ枠体２０をスームズに昇降移動することができず、また昇降移動中に１つのウインチに使用するワイヤーロープ３に弛みが発生すると初期設定のやり直しを必要とする等の問題点があったが、本発明のウインチを用いた移動システム１を使用すると、初期設定時にワイヤーロープ３に十分なテンションをかけた状態としなくても、ワイヤーロープ３の長さ調整だけで十分であり、初期設定時が簡易に行われ、また、昇降移動中にワイヤーロープ３の１本に弛みが発生しても、ウインチ４で解消することができるので、再度の初期設定のやり直しをする必要がなく継続して使用することができる。【００３４】  ワイヤーロープ３のウインチ４による弛みの解消は、ウインチ４に取り入れられるワイヤーロープ３は、案内ガイド８に沿って取り入れ、該案内ガイド８と案内リング７の回転とでワイヤーロープ３を挟持し押圧しながら巻取リング６へワイヤーロープ３を移動し、巻取リング６の駆動でワイヤーロープ３を巻取リング６の外周に巻き付けて、該ワイヤーロープ３を再度、案内ガイド８に沿って取り出し、案内ガイド８と案内リング７の回転とでワイヤーロープ３を挟持し押圧しながらワイヤーロープ３をウインチ４より取り出すことで行われるために、ワイヤーロープ３の弛みの大小に関係することなく、一定の状態でワイヤーロープ３を移動することができる。また、巻取リング６の外周に巻き付けられたワイヤーロープ３は押圧体９で巻取リング６の外周側に押圧されているために、巻取リング６の回転駆動時に押圧体９が巻取リング６の回転方向にテンションがかかった状態で移動しながらワイヤーロープ３を空回りすることなく確実に移動することができる。【００３５】  上記実施例では、照明器具の吊り上げ用として使用したが、本発明の使用はこれに限定されるものでなく、例えば、舞台装置の吊り上げ用として、建築部材の吊り上げ用として、又はその他の吊り上げ用として使用することができる。【００３６】  また、上記本発明の実施は、ウインチ４をワイヤーロープ３に沿って上下方向に移動すべく構成したが、壁面間にワイヤーロープ３を吊張（地面に対して平行方向）し、該ワイヤーロープ３に沿って横方向に移動すべく構成することも可能であり、この場合、ネット又はシ��ト１６の先端側をフック５に引っ掛けて横方向に移動することも可能であり、またワイヤーロープ３の上方に安全用吊り張りロープ２１を設け該安全用吊り張りロープ２１に荷台２２を移動可能に設け、巻取リング６に設けられたハンドル２３を回転することで横方向に移動すべく構成することも可能であり、また上記ウインチ４に巻取リング６を２個設け、一方の巻取リング６でウインチ４が横方向にワイヤーロープ３に沿って横方向に移動し所定の位置で停止した後、クラッチ機構等で他方の巻取リング６と切り替えて、巻取リング６を回転駆動することで、フック５をウインチ４より昇降すべく構成することで、ウインチを用いた移動システム１の使用範囲をさらに拡大することも可能である。【００３７】  また、例えば、ウインチ４を上方で固定し、該ウインチ４を作動してワイヤーロープ３を昇降移動すべく構成することも可能である。この場合（ウインチ４を固定する場合）において、ワイヤーロープ３に荷重のかからない初期の状態時にワイヤーロープ３に弛みが生じてもウインチ４で解消しながらスムーズなワイヤーロープ３の移動が可能である。【００３８】  次に、ネット又はシートのウインチを用いた移動システム１Ａを用いた一実施例について説明する。【００３９】  ネット又はシートのウインチを用いた移動システム１Ａは、１本のワイヤーロープ３を支柱（図示せず）に設けられた複数の滑車１４を介してシート１６を覆設する方向に沿って無端状に吊張し、その端部側をウインチ４で正逆方向に移動するように設ける。そして、平行方向に吊張されたワイヤーロープ３間（Ａ間及びＢ間）に複数に分割されたシートを取り付ける。シート１６を取り付け方法は、複数のシート１６の開閉方向に応じて、ワイヤーロープ３の無端状の吊張方向を変更して、同方向に又は対向する方向等自在に取り付けることが可能である。【００４０】  上記ウインチ４の基本的な構成は、上記ウインチを用いた移動システム１に使用するウインチ４と同一の構成である。【００４１】  シート１６のワイヤーロープ３への取り付け方法は、開閉方向に沿って平行に吊張りされた吊張りワイヤー１７に挿通体１８を介してシート１６が波状になるように取り付け、シート１６の先端側をワイヤーロープ３に固定具１９を介して固定する。尚、シート１６のワイヤーロープ３への取り付け方法これに限定されるものでなく、例えば、ワイヤーロープ３に直接挿通体１８と固定具１９とを介してシート１６を取り付けることも可能である。【００４２】  上記ネット又はシートのウインチを用いた移動システム１Ａは以上より構成され、次に、該システム１Ａを野外のプールに使用する場合について説明する。【００４３】  プールの外周に一定間隔で支柱を立設し、対向する支柱間に滑車１４を取り付け、複数の滑車１４間にワイヤーロープ３を張りし、一つ柱にウインチ４に取り入れ及び取り出し、無端状に吊張りする。プールの大きさ（設置面積）に応じて、同様の無端状に吊張したワイヤーロープ３と該ワイヤーロープ３を移動するウインチ４とをプール全体に吊張した後、前記対向する支柱間すべての滑車１４の取り付け位置の下方側に吊張りワイヤー１７を固定する。【００４４】  次に、吊張したワイヤーロー���３の同一の移動方向に沿ってＵＶカット機能を有する分割されたシート１６を取り付ける。シート１６の取り付け方法は、シート１６の対向する両側にそれぞれ等間隔で取り付けられた挿通体１８を平行して設けられた吊張りワイヤー１７に挿通してシート１６を波状になるように取り付け、シート１６の移動方向の先端両端側に設けられた固定具１９を同一の移動方向のワイヤーロープ３に固定する。【００４５】  上記一定の間隔で支柱に設けられたウインチ４は、例えば、操作盤（図示せず）によって同期させて駆動する。また、ウインチ４の駆動源に関しては、シート１６の設置面積の大きさにより手動式と電動式と選択し、また、電源確保が難しい場合は、環境を考えてソーラー電源又は充電式のアシスト駆動付きのウインチ４を選択する。【００４６】  上記取り付けられたシート１６は、プールの使用時には各ウインチ４を駆動して、ワイヤーロープ３を移動することでワイヤーロープ３に沿って固定具１９が移動し、吊張りワイヤー１７に沿ってシート１６が移動し、分割されたシート１６でプールを覆設する。
また、覆設した状態時に風が強くなると、各ウインチ４を逆方向に駆動しワイヤーロープ３を逆方向に移動することでワイヤーロープ３に沿って固定具１９が逆方向に移動し、吊張りワイヤー１７に沿ってシート１６が収納状態の方向に移動し、分割されたシート１６を全て収納してプールを開放状態とする。このため、プールは風の影響を受けることなく安全な状態で使用することができる。【００４７】  ワイヤーの正方向（シート１６を閉塞する覆設方向）移動時には、ワイヤーロープ３のウインチ４へ取り入れる側（ｂ方向）には、シート１６の荷重がかかりワイヤーロープ３は常に引っ張られた状態となるが、ワイヤーロープ３のウインチ４より引き出す側（ａ方向）にはシート１６の荷重が直接かからないために弛みが発生する。また、ワイヤーロープ３の逆方向（シート１６を開放する収納方向）移動時には、ワイヤーロープ３のウインチ４への取り入れ側（ａ方向）に荷重がかかり弛みが発生するが、ワイヤーロープ３のウインチ４より引き出す側（ｂ方向）はシート１６の荷重がかかり常に引っ張られた状態となる。【００４８】  上記弛みの解消手段として、従来はテンションを介して滑車１４を支柱に取り付け該テンションにより、弛みを解消しようとしたが、野外の設置面積が広いシート１６の場合は、分割したとはいえテンションのみでは弛みを解消することができない場合が多く発生する。そこで、本発明では、ワイヤーロープ３を移動するウインチ４により弛みを解消し、スムーズなシート１６の開閉移動を可能とした。【００４９】  具体的には、常に引っ張られた状態のウインチ４への取り入れ側のワイヤーロープ３と弛みの発生するウインチ４より引き出し側のワイヤーロープ３との場合は、引っ張られた状態のワイヤーロープ３は案内ガイド８の溝に沿って取り入れられ、しかも案内ガイド８と案内リング７とでワイヤーロープ３を挟持又は／及び押圧するようにして取り入れられ、巻取リング６にワイヤーロープ３が巻き取られた際、押圧体９によりワイヤーロープ３を巻取リング６の外周側へ押圧することで、巻取リング６の回転駆動を空回りすることなくワイヤーロープ３に伝達して移動し、さらに、ワイヤーロープ３の引き出し側も取り入れ側と同様に案内ガイド８の溝に沿って引き出し、しかも案内ガイド８と案内リング７とでワイヤーロープ３を挟持又は／及び押圧するようにして引き出す。このために、引っ張られた状態のワイヤーロープ３も一定の状態でウインチ４へ取り入れることができ、また、ウインチ４より引き出し側のワイヤーロープ３の弛みに関係することなくワイヤーロープ３をウインチ４より引き出し移動することができる。【００５０】  また、弛みのあるワイヤーロープ３がウインチ４に取り入れられる際は、ワイヤーロープ３は案内ガイド８の溝に沿って取り入れられ、しかも案内ガイド８と案内リング７とでワイヤーロープ３を挟持又は／及び押圧するようにして取り入れられるために、この部分のみでも充分にワイヤーロープ３の弛みを解消しながら一定の状態で取り入れすることができ、さらに、巻取リング６にワイヤーロープ３が巻き取られた際は、押圧体９によりワイヤーロープ３を巻取リング６の外周側へ押圧することで、巻取リング６の回���駆動を空回りすることなくワイヤーロープ３に伝達して移動できる。さらに、ワイヤーロープ３の引き出し側も取り入れ側と同様に案内ガイド８の溝に沿って引き出し、しかも案内ガイド８と案内リング７とでワイヤーロープ３を挟持又は／及び押圧するようにして引き出しできる。【００５１】  以上のワイヤーロープ３の取り入れ側、巻取リング６の駆動部分、及び引き出し側と３重にワイヤーロープ３のスムーズな移動手段が設けられているために、ウインチ４へのワイヤーロープ３の取り入れ側、引き出し側のどちらかに弛みじ発生しても、又は取り入れ側、引き出し側の両側に弛みが発生しても、常にスムーズなワイヤーロープ３の移動を可能とするために、従来必要とされたワイヤーロープ３への各種テンションを必要としない。【００５２】  従って、各種テンション取り付けの柱等が必要でなく、設備コストを大幅に削減することができる他、全体の構造が簡易であるためにメンテナンスにかかる費用も格段に削減することができる。【００５３】  しかも、野外に特有の風の影響に対しても、確実にシート１６を収納することができるので、安全性及び耐久性の面においても格段に優れている。【００５４】  尚、上記実施例では、分割したシート１６を同時に移動する方法を説明したが、本発明において、シート１６の移動は分割したシート１６の一部のみを開放移動するように制御盤で制御することも当然可能である。【００５５】  上記実施例は、プールのＵＶカットシート用としてシート１６を設置面に対して平行に設ける方式でネット又はシートのウインチを用いた移動システム１Ａを使用したが、本発明のネット又はシートのウインチを用いた移動システム１Ａの使用はこれに限定されるものでない。例えば、下記のように使用することも可能である。【００５６】  立設した複数の支柱２４の内、隣接した支柱２４間の上部側に滑車１４を取り付け該滑車１４間にワイヤーロープ３を掛け渡し、さらに１つの支柱２４の下方側に取り付けたウインチ４にワイヤーロープ３を掛け渡し、さらに、前記ワイヤーロープ３に近接した下方側に平行して吊張りワイヤー１７を掛け渡し、該吊張りワイヤー１７に挿通体１８を介してシート１６を縦方向に吊張りし、シート１６の移動方向の先端両端側に設けられた固定具１９をワイヤーロープ３に固定する。【００５７】  上記縦方向に吊張されたシート１６の使用は、例えば、高速道路における防霧用として使用する。即ち、高速道路の両側に対向するようにシート１６を縦方向に吊張りし設ける。【００５８】  高速道路において、霧が発生した場合には、例えばセンサーで感知してウインチ４を作動し、ワイヤーロープ３をループ状に移動させ、ワイヤーロープ３に先端側を固定されたシート１６を縦方向で移動して高速道路への霧の進入を防ぐ、また、風が強い場合は、逆方向にシート１６を縦方向で移動して一方の支柱２４側にシート１６を収納することで、風の影響を回避することができる。【００５９】  この場合も、実施例の場合と同様に、ウインチ４によりワイヤーロープ３の弛みを解消することができるので、従来のテンション構成による弛みの解消に比しメンテナンスの必要が激減することができる。【００６０】  また、ワイヤーロープ��をループ状に掛け渡す場合、複数の支柱２４間に渡って掛け渡すことも可能であるために、ネット又はシートのウインチを用いた移動システム１Ａの簡略化を図ることができ、コストの削減を可能とした。【００６１】  上記のように、シート１６を設置面に対して平行移動する場合と、垂直方向で移動する場合とを説明したが、本発明においてはこれらの組み合わせによるシート１６の移動も可能である。【００６２】  すなわち、設置スペースに複数の支柱２４や梁２５で骨組みをし、各面（屋根部分Ａ，Ｂ面、側壁部分Ｃ面，Ｄ面，Ｅ面）にそれぞれ掛け渡された吊張りワイヤー１７を介してシート１６を吊張し、該吊張りワイヤー１７の近接した上部側にワイヤーロープ３をループ状に掛け渡すことにより、それぞれの面のシート１６を独立して開閉移動（例えは、Ｂ面とＤ面のシート１６のみを開放し、他の面は閉覆した状態）することも可能である。【００６３】  作業現場において、作業現場の全体スペースをテント風に支柱や梁で骨組みし、全ての面に分割したシート１６をそれぞれ吊張する（シート１６の長さや、シート１６の移動方向により、ウインチ４を所定数設置（複数の分割されたシート１６を１台のウインチ４で移動（移動方向が相違しても）する。）し、それぞれウインチ４を中心としてワイヤーロープ３をループ状に掛け渡す。各ウインチ４ははそれぞれ制御盤（図示せず）により独立して制御されている。【００６４】  そして、必要な面（例えば、夏日のときは、日差し避けとして作業部分のみ閉覆移動、他の部分は風通しを考えて開放移動させる）のみ開放、又は閉覆移動して目的に応じた使用を可能とする。【００６５】  この場合も、各ワイヤーロープ３に弛みが生じてもウインチ４部分でその弛みを解消することができるので、メンテナンスの必要がなく、作業の遅延等をおこすことなく使用することができる。【００６６】  本発明のネット又はシートのウインチを用いた移動システム１Ａの使用は、上記の実施例に限定されるものでなく、大きな面積のネット又はシートを用いる場合のあらゆる工事現場で使用することができる。一例として、集合住宅等の補修点検用として建物全体に枠体（足場）を設け、該枠体に沿ってネット又はシートを取り付け、該ネット又はシートをウインチを用いて開閉可能に設置するように構成することも可能である。
【図面の簡単な説明】
【００６７】
【図１】本発明のウインチを用いた移動システムの一実施例を示す概略説明図
【図２】本発明に使用するウインチを示す概略説明図
【図３】ウインチによるワイヤーロープの取り入れ及び取り出し移動を示す概略説明図
【図４】ウインチによるワイヤーロープの駆動移動を示す概略説明図
【図５】ウインチを用いた移動システムの使用例を示す概略説明図
【図６】ウインチを用いた移動システムの他使用例を示す概略説明図
【図７】ウインチを用いた移動システムの他使用例を示す概略説明図
【図８】ウインチを用いた移動システムの他使用例を示す概略説明図
【図９】ネット又はシートのウインチを用いた移動システムを示す概略説明図
【図１０】ネット又はシートのウインチを用いた移動システムの他実施例を示す概略説明図
【図１１】ネット又はシートのウインチを用いた移動システムの他実施例を示す概略説明図
【図１２】ネット又はシートのウインチを用いた移動システムの他実施例を示す概略説明図
【図１３】ネット又はシートのウインチを用いた移動システムの他実施例を示す概略説明図
【図１４】ネット又はシートのウインチを用いた移動システムの他実施例を示す概略説明図
【図１５】ネット又はシートのウインチを用いた移動システムの他実施例を示す概略説明図
【符号の説明】
【００６８】１…ウインチを用いた移動システム、３…ワイヤーロープ、４…ウインチ、６…巻取リング、１４…滑車、１６…ネット又はシート、２０…支柱
【図１】
2007161476.tif 000003
【図２】
2007161476.tif 000004
【図３】
2007161476.tif 000005
【図４】
2007161476.tif 000006
【図５】
2007161476.tif 000007
【図６】
2007161476.tif 000008
【図７】
2007161476.tif 000009
【図８】
2007161476.tif 000010
【図９】
2007161476.tif 000011
【図１０】
2007161476.tif 000012
【図１１】
2007161476.tif 000013
【図１２】
2007161476.tif 000014
【図１３】
2007161476.tif 000015
【図１４】
2007161476.tif 000016
【図１５】
2007161476.tif 000017
【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
吊張されたワイヤーロープをウインチの巻取リングを駆動することで無端状に移動して各種作業を行うウインチを用いた移動システムにおいて、前記ワイヤロープをウインチに設けられた複数の案内リングと案内ガイドとでワイヤロープを挟持するとともに、巻取リングの外周で両端側にテンションが設けられた押圧体で回転方向にテンションがかかった状態で移動することで、ワイヤロープに発生する弛みをウインチで解消しながらワイヤーロープを移動することを特徴とするウインチを用いた移動システム。
【請求項２】
風、紫外線をカットするためのネット又はシート、又は空間部を覆設するためのネット又はシートの吊張用として設けられているワイヤーロープをウインチに設けられた複数の案内リングと案内ガイドとでワイヤロープを挟持するとともに、巻取リングの外周で両端側にテンションが設けられた押圧体で回転方向にテンションがかかった状態で無端状に移動することで、ネット又はシートの荷重により発生するワイヤーロープの弛みを解消しながらネット又はシートを開閉移動することを特徴とするネット又はシートのウインチを用いた移動システム。
【請求項３】
前記ネット又はシートが複数に分割され、該分割されたネット又はシートを分割方向に沿ってそれぞれ吊張されたワイヤーロープをウインチを用いて無端状に移動することで、分割された各ネット又はシートの同方向に又は対向する方向に開閉移動することを特徴とする請求項２に記載のネット又はシートのウインチを用いた移動システム。
【手続補正２】
【補正対象書類名】明細書
【補正対象項目名】００１２
【補正方法】変更
【補正の内容】
【００１２】  本発明は、吊張されたワイヤーロープをウインチの巻取リングを駆動することで無端状に移動して各種作業を行うウインチを用いた移動システムにおいて、前記ワイヤロープをウインチに設けられた複数の案内リングと案内ガイドとでワイヤロープを挟持するとともに、巻取リングの外周で両端側にテンションが設けられた押圧体で回転方向にテンションがかかった状態で移動することで、ワイヤロープに発生する弛みをウインチで解消しながらワイヤーロープを移動することを特徴とするウインチを用いた移動システムである。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】  また、風、紫外線をカットするためのネット又はシート、又は空間部を覆設するためのネット又はシートの吊張用として設けられているワイヤーロープをウインチに設けられた複数の案内リングと案内ガイドとでワイヤロープを挟持するとともに、巻取リングの外周で両端側にテンションが設けられた押圧体で回転方向にテンションがかかった状態で無端状に移動することで、ネット又はシートの荷重により発生するワイヤーロープの弛みを解消しながらネット又はシートを開閉移動することを特徴とするネット又はシートのウインチを用いた移動システムである。
【手続補正５】
【補正対象書類名】明細書
【補正対象項目名】００１５
【補正方法】変更
【補正の内容】
【００１５】  また、前記ネット又はシートが複数に分割され、該分割されたネット又はシートを分割方向に沿ってそれぞれ吊張されたワイヤーロープをウインチを用いて無端状に移動することで、分割された各ネット又はシートの同方向に又は対向する方向に開閉移動することを特徴とする請求項２に記載のネット又はシートのウインチを用いた移動システムである。
【手続補正６】
【補正対象書類名】明細書
【補正対象項目名】００１６
【補正方法】変更
【補正の内容】
【００１６】  本発明のウインチを用いた移動システムは、地面に対して垂直方向、又は水平方向に無端状に吊張されたワイヤーロープを固定されたウインチの巻取リングを駆動することで無端状に移動する。ワイヤーロープ移動時に、該ワイヤーロープに十分な荷重がかかっていない場合にワイヤーロープに弛みが発生するが、ウインチでワイヤロープの弛みを解消しながらワイヤーロープを移動する。
【手続補正７】
【補正対象書類名】明細書
【補正対象項目名】００１７
【補正方法】変更
【補正の内容】
【００１７】  また、地面に対して垂直方向、又は水平方向に吊張されたワイヤーロープに沿ってウインチの巻取リングを駆動することでウインチを移動する場合に、吊張されたワイヤロープに弛みが生じても、ウインチでワイヤロープの弛みを解消しながらウインチを移動することで各種の作業を行う。
【手続補正８】
【補正対象書類名】明細書
【補正対象項目名】００２０
【補正方法】変更
【補正の内容】
【００２０】  上記ネット又はシートの荷重は無端状に吊張されたワイヤーロープに直接又は間接的にかかるために、ネット又はシートの開閉移動時において、ウインチの巻取リングを駆動してワイヤーロープを移動すると、ウインチへのワイヤーロープの取り入れ側と取り出し側（ウインチの駆動部に対して）とでワイヤーロープにかかる荷重が相違するために、特にワイヤーロープのウインチへの取り出し側に弛みが発生することがおこりやすい。本発明はこの弛みをウインチ部分で解消しながらワイヤーロープを無端状に移動することができるので、常にスムーズなネット又はシートの開閉移動を行うことができる。
【手続補正９】
【補正対象書類名】明細書
【補正対象項目名】００２１
【補正方法】変更
【補正の内容】
【００２１】  上記ウインチでのワイヤーロープの弛みの解消は、ウインチに設けられた複数の案内リングと案内ガイドとでワイヤロープを挟持するとともに、巻取リングの外周で両端側にテンションが設けられた押圧体で巻取リングの回転方向にテンションがかかった状態で移動することで、ワイヤワイヤーロープは常にテンションがかかった状態で移動することとなるために、ワイヤーロープのウインチへの取り出し側又は取り入れ側の弛みがあっても問題とすることなくウインチ内で弛みを解消して、スムーズなワイヤーロープの移動を行うことができる。
【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
風、紫外線をカット、又は空間部を覆設するため、無端状のワイヤーロープ間に設けられ複数に分割された各ネット又はシートをウインチを用いて開閉方向に応じて移動するネット又はシートのウインチを用いた移動システムにおいて、ネット又はシートの荷重により発生するワイヤーロープの弛みをウインチに設けられた複数の案内リングと案内ガイドとでワイヤロープを挟持するとともに、巻取リングの外周で両端側にテンションが設けられた押圧体で回転方向にテンションがかかった状態で無端状に移動することで、ワイヤーロープのウインチへの取り出し側又は取り入れ側の弛みを解消してワイヤーロープを移動してネット又はシートを分割された方向に又は対向する方向に開閉移動を行うことを特徴とするネット又はシートのウインチを用いた移動システム。
【手続補正２】
【補正対象書類名】明細書
【補正対象項目名】００１２
【補正方法】変更
【補正の内容】
【００１２】  本発明は、風、紫外線をカット、又は空間部を覆設するため、無端状のワイヤーロープ間に設けられ複数に分割された各ネット又はシートをウインチを用いて開閉方向に応じて移動するネット又はシートのウインチを用いた移動システムにおいて、ネット又はシートの荷重により発生するワイヤーロープの弛みをウインチに設けられた複数の案内リングと案内ガイドとでワイヤロープを挟持するとともに、巻取リングの外周で両端側にテンションが設けられた押圧体で回転方向にテンションがかかった状態で無端状に移動することで、ワイヤーロープのウインチへの取り出し側又は取り入れ側の弛みを解消してワイヤーロープを移動してネット又はシートを分割された方向に又は対向する方向に開閉移動を行うことを特徴とするウインチを用いた移動システムである。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００２０
【補正方法】変更
【補正の内容】
【００２０】  上記風、紫外線をカット、又は空間部を覆設するため、無端状のワイヤーロープ間に設けられ複数に分割された各ネット又はシートをウインチを用いて開閉方向に応じて移動するネット又はシートの荷重は無端状に吊張されたワイヤーロープに直接又は間接的にかかるために、ネット又はシートの開閉移動時において、ウインチの巻取リングを駆動してワイヤーロープを移動すると、ウインチへのワイヤーロープの取り入れ側と取り出し側（ウインチの駆動部に対して）とでワイヤーロープにかかる荷重が相違するために、特にワイヤーロープのウインチへの取り出し側に弛みが発生することがおこりやすい。本発明はこの弛みをウインチ部分で解消しながらワイヤーロープを無端状に移動することができるので、常にスムーズなネット又はシートの開閉移動を行うことができる。
【手続補正７】
【補正対象書類名】明細書
【補正対象項目名】００２１
【補正方法】変更
【補正の内容】
【００２１】  上記ウインチでのワイヤーロープの弛みの解消は、ウインチに設けられた複数の案内リングと案内ガイドとでワイヤロープを挟持するとともに、巻取リングの外周で両端側にテンションが設けられた押圧体で巻取リングの回転方向にテンションがかかった状態で移動することで、ワイヤーロープは常にテンションがかかった状態で移動することとなるために、ワイヤーロープのウインチへの取り出し側又は取り入れ側の弛みを解消してワイヤーロープを移動してネット又はシートを分割された方向に又は対向する方向に開閉移動を行うことができる。
【手続補正書】
【提出日】平成19年1月16日(2007.1.16)
【手続補正１】
【補正対象書類名】特許請求の範囲
【補正対象項目名】請求項１
【補正方法】変更
【補正の内容】
【請求項１】
風、紫外線をカット、又は空間部を覆設するため、無端状のワイヤーロープ間に設けられ複数に分割された各ネット又はシートをウインチを用いて開閉方向に応じて移動するネット又はシートのウインチを用いた移動システムにおいて、ネット又はシートの荷重により発生するワイヤーロープの弛みをウインチの取り出し側と取り入れ側とにそれぞれ設けられた複数の案内リングと案内ガイドとでワイヤロープを挟持するとともに、巻取リングの外周で両端側にテンションが設けられた押圧体で回転方向にテンションがかかった状態で無端状に移動することで、ワイヤーロープのウインチへの取り出し側又は取り入れ側の弛みを解消してワイヤーロープを移動してネット又はシートを分割された方向に又は対向する方向に開閉移動を行うことを特徴とするネット又はシートのウインチを用いた移動システム。
【手続補正３】
【補正対象書類名】明細書
【補正対象項目名】００１２
【補正方法】変更
【補正の内容】
【００１２】  本発明は、風、紫外線をカット、又は空間部を覆設するため、無端状のワイヤーロープ間に設けられ複数に分割された各ネット又はシートをウインチを用いて開閉方向に応じて移動するネット又はシートのウインチを用いた移動システムにおいて、ネット又はシートの荷重により発生するワイヤーロープの弛みをウインチの取り出し側と取り入れ側とにそれぞれ設けられた複数の案内リングと案内ガイドとでワイヤロープを挟持するとともに、巻取リングの外周で両端側にテンションが設けられた押圧体で回転方向にテンションがかかった状態で無端状に移動することで、ワイヤーロープのウインチへの取り出し側又は取り入れ側の弛みを解消してワイヤーロープを移動してネット又はシートを分割された方向に又は対向する方向に開閉移動を行うことを特徴とする。